(57)【要約】【課題】報知信号受信に関する不都合を生じさせることなく、割当制御情報の受信処理におけるブラインド回数を削減する基地局を提供する。【解決手段】基地局１００は、複数のRBからなるシステム帯域に含まれるRS送信帯域にマッピングされたSRSを含む信号を受信し、前記システム帯域は複数のRBGに分割されており、前記SRS送信帯域はSRSを送信するための複数のRBを含み、前記複数のRBGのうちのいずれかの端の周波数位置と前記SRS送信帯域の端の周波数位置とが一致するように、前記システム帯域における前記SRS送信帯域及び前記複数のRBGの周波数位置が設定されており、前記SRS送信帯域に含まれるRBの数は一つのRBGを構成するRBの数の自然数倍である、無線受信部１０１と、前記受信した信号から、前記SRS送信帯域にマッピングされたSRSを抽出するSRS抽出部１０３と、を具備する。【選択図】図６
2014068410.tif 000002
【特許請求の範囲】
【請求項１】
複数のリソースブロック（RB）からなるシステム帯域に含まれるSounding Reference Signal（SRS）送信帯域にマッピングされたSRSを含む信号を受信し、前記システム帯域は複数のリソースブロックグループ（RBG）に分割されており、前記SRS送信帯域はSRSを送信するための複数のRBを含み、前記複数のRBGのうちのいずれかの端の周波数位置と前記SRS送信帯域の端の周波数位置とが一致するように、前記システム帯域における前記SRS送信帯域及び前記複数のRBGの周波数位置が設定されており、前記SRS送信帯域に含まれるRBの数は一つのRBGを構成するRBの数の自然数倍である、受信手段と、
前記受信した信号から、前記SRS送信帯域にマッピングされたSRSを抽出する抽出手段と、
を具備する基地局装置。
【請求項２】
前記抽出手段は、前記SRS送信帯域の帯域幅、周波数位置および周波数ホッピングパターンに関する情報に基づいて、前記SRSを抽出する、
請求項１記載の基地局装置。
【請求項３】
前記一つのRBGを構成するRBの数は前記システム帯域の帯域幅に応じて設定される、
請求項１記載の基地局装置。
【請求項４】
前記SRS送信帯域に含まれる最小RB数は４である、
請求項１記載の基地局装置。
【請求項５】
前記SRS送信帯域に含まれるRB数は、全て４の倍数である、
請求項１記載の基地局装置。
【請求項６】
複数のリソースブロック（RB）からなるシステム帯域に含まれるSounding Reference Signal（SRS）送信帯域にマッピングされたSRSを含む信号を受信し、前記システム帯域は複数のリソースブロックグループ（RBG）に分割されており、前記SRS送信帯域はSRSを送信するための複数のRBを含み、前記複数のRBGのうちのいずれかの端の周波数位置と前記SRS送信帯域の端の周波数位置とが一致するように、前記システム帯域における前記SRS送信帯域及び前記複数のRBGの周波数位置が設定されており、前記SRS送信帯域に含まれるRBの数は一つのRBGを構成するRBの数の自然数倍であり、
前記受信した信号から、前記SRS送信帯域にマッピングされたSRSを抽出する、
受信方法。
【請求項７】
前記SRS送信帯域の帯域幅、周波数位置および周波数ホッピングパターンに関する情報に基づいて、前記SRSを抽出する、
請求項６記載の受信方法。
【請求項８】
前記一つのRBGを構成するRBの数は前記システム帯域の帯域幅に応じて設定される、
請求項６記載の受信方法。
【請求項９】
前記SRS送信帯域に含まれる最小RB数は４である、
請求項６記載の受信方法。
【請求項１０】
前記SRS送信帯域に含まれるRB数は、全て４の倍数である、
請求項６記載の受信方法。
【請求項１１】
複数のリソースブロック（RB）からなるシステム帯域に含まれるSounding Reference Signal（SRS）送信帯域にマッピングされたSRSを含む信号を受信し、前記システム帯域は複数のリソースブロックグループ（RBG）に分割されており、前記SRS送信帯域はSRSを送信するための複数のRBを含み、前記複数のRBGのうちのいずれかの端の周波数位置と前記SRS送信帯域の端の周波数位置とが一致するように、前記システム帯域における前記SRS送信帯域及び前記複数のRBGの周波数位置が設定されており、前記SRS送信帯域に含まれるRBの数は一つのRBGを構成するRBの数の自然数倍である受信処理と、
前記受信した信号から、前記SRS送信帯域にマッピングされたSRSを抽出する抽出処理と、
を制御する集積回路。
【発明の詳細な説明】
【技術分野】
【０００１】
本発明は、基地局装置、受信方法及び集積回路に関する。
【背景技術】
【０００２】
３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ−ｔｅｒｍ  Ｅｖｏｌｕｔｉｏｎ）の発展形であるＬＴＥ−Ａ（ＬＴＥ−Ａｄｖａｎｃｅｄ）の上り回線では、セクタスループット性能の改善のために、連続帯域送信に加えて、「非連続帯域送信」を用いることが検討されている（非特許文献１参照）。
【０００３】
非連続帯域送信は、データ信号および参照信号を広い帯域に分散された非連続な周波数帯域に割り当てて送信する方法である。図１に示すように、非連続帯域送信では、データ信号および参照信号は、離散した周波数帯域に割り当てることができる。よって、非連続帯域送信では、連続帯域送信に比べて、各端末のデータ信号および参照信号の周波数帯域割当の自由度が向上する。これにより、より大きな周波数スケジューリング効果を得ることができる。
【０００４】
基地局から端末への非連続帯域送信用周波数リソース割当情報の通知方法として、システム帯域内の各ＲＢＧ（Ｒｅｓｏｕｒｃｅ  Ｂｌｏｃｋ  Ｇｒｏｕｐ）について割り当てする／しないをビットマップで通知する方法がある（非特許文献２参照）。図２に示すように、基地局は、所定のＲＢＧごと（図２では、４［ＲＢ］ごと）に、その周波数リソースを割当てるか否かを周波数割当対象端末に対して１ｂｉｔで通知する。すなわち、基地局は、システム帯域が所定数のＲＢごとに分割された複数のＲＢＧにおいて、周波数割当対象端末へ割り当てられたＲＢＧ（以下、「割当ＲＢＧ」と呼ばれることがある）及び割り当てられないＲＢＧ（以下、「非割当ＲＢＧ」と呼ばれることがある）のうち、一方にビット値１を付与し他方にビット値０を付与することにより得られる周波数割当ビット列を周波数割当対象端末へ通知する。図２において、ビット「１」が付与されたＲＢＧは割当対象端末に対して割り当てられた周波数領域である一方、ビット「０」が付与されたＲＢＧは割当対象端末に対して割り当てられない周波数領域である。よって、周波数リソース割当情報に必要なシグナリングビット数は、システム帯域内のＲＢＧ数に一致する。
【０００５】
なお、ＬＴＥでは、図３に示すように、ＲＢＧサイズ（＝Ｐ）はシステム帯域幅に依存して変わる（非特許文献３参照）。図３に示すように、システム帯域幅が大きいほど、ＲＢＧサイズが大きくされることにより、シグナリングビット数が低減されている。
【０００６】
また、ＬＴＥでは、上り回線のＳｏｕｎｄｉｎｇ  Ｒｅｆｅｒｅｎｃｅ  Ｓｉｇｎａｌ（ＳＲＳ）が用いられる。ここで、Ｓｏｕｎｄｉｎｇとは、回線品質を推定することを意味する。ＳＲＳは、主に、上り回線データチャネルのＣＱＩ（Ｃｈａｎｎｅｌ  Ｑｕａｌｉｔｙ  Ｉｎｄｉｃａｔｏｒ）推定を行うために、特定のシンボルにデータと時間多重されて送信される。
【０００７】
また、ＳＲＳの送信方法には、システム帯域幅相当の送信帯域幅でＳＲＳを送信する方法（つまり、広帯域のＳＲＳ送信方法）と、送信周波数帯域を時間的に変えながら（つまり、周波数ホッピングして）、各送信タイミングでは狭帯域でＳＲＳを送信する方法（つまり、狭帯域のＳＲＳ送信方法）とがある。広帯域のＳＲＳ送信方法が用いられる場合には、一度に広帯域に亘ってＣＱＩが推定される。また、狭帯域のＳＲＳ送信方法が用いられる場合には、狭帯域で送信されたＳＲＳをいくつか用いることにより、広帯域に亘ってＣＱＩが推定される。
【０００８】
一般的に、セル境界付近に存在する端末から送信されて基地局で受信される信号は、パスロスが大きい。また、端末の最大送信電力が限られているため、広帯域のＳＲＳ送信の場合には、単位周波数あたりの基地局受信電力が低くなり、受信ＳＩＮＲが低くなる。この結果、ＣＱＩ推定精度が劣化する。従って、セル境界付近の端末は、限られた電力を所定の周波数帯域に絞って送信する、狭帯域のＳＲＳ送信方法をとる。逆に、セル中央付近に存在する端末から送信されて基地局で受信される信号は、パスロスが小さい。このため、広帯域のＳＲＳ送信方法が採用されても、単位周波数あたりの基地局受信電力は、十分確保される。この結果、セル中央付近に存在する端末は、広帯域のＳＲＳ送信方法をとる。
【０００９】
また、ＬＴＥでは、広帯域のＳＲＳ送信方法又は狭帯域のＳＲＳ送信方法に関わらず、ＳＲＳを送信できる周波数帯域（つまり、Ｓｏｕｎｄｉｎｇ帯域、換言すれば、ＣＱＩ推定可能な周波数帯域）を同じにするために、広帯域のＳＲＳ送信方法における送信帯域幅は、狭帯域のＳＲＳ送信方法における送信帯域幅のＮ倍（Ｎは整数）としている。すなわち、狭帯域のＳＲＳ送信方法が採用される場合には、Ｎ回だけ周波数ホッピングが適用されることにより、広帯域のＳＲＳ送信方法と同じ周波数帯域のＣＱＩが推定される。具体的には、ＬＴＥでは、ＳＲＳの最小送信帯域幅は、４ＲＢであり、ＳＲＳの送信帯域幅は、すべて４の倍数となる（非特許文献４参照）。  
【先行技術文献】
【非特許文献】
【００１０】
【非特許文献１】３ＧＰＰ  Ｒ１−０９０２５７，  Ｐａｎａｓｏｎｉｃ，  “Ｓｙｓｔｅｍ  ｐｅｒｆｏｒｍａｎｃｅ  ｏｆ  ｕｐｌｉｎｋ  ｎｏｎ−ｃｏｎｔｉｇｕｏｕｓ  ｒｅｓｏｕｒｃｅ  ａｌｌｏｃａｔｉｏｎ”
【非特許文献２】３ＧＰＰ  ＴＳ３６．２１２  Ｖ８．５．０．    ５．３．３．１．２  Ｆｏｒｍａｔ１，  “Ｅ−ＵＴＲＡ  Ｍｕｌｔｉｐｌｅｘｉｎｇ  ａｎｄ  ｃｈａｎｎｅｌ  ｃｏｄｉｎｇ  （Ｒｅｌｅａｓｅ８）”
【非特許文献３】３ＧＰＰ  ＴＳ３６．２１３  Ｖ８．５．０．  ７．１．６．１  Ｒｅｓｏｕｒｃｅ  ａｌｌｏｃａｔｉｏｎ  ｔｙｐｅ  ０，“Ｐｈｙｓｉｃａｌ  ｌａｙｅｒ  ｐｒｏｃｅｄｕｒｅｓ  （Ｒｅｌｅａｓｅ８）”
【非特許文献４】３ＧＰＰ  ＴＳ３６．２１１  Ｖ８．５．０．  ５．５．３．２  Ｍａｐｐｉｎｇ  ｔｏ  ｐｈｙｓｉｃａｌ  ｒｅｓｏｕｒｃｅｓ，“Ｐｈｙｓｉｃａｌ  Ｃｈａｎｎｅｌｓ  ａｎｄ  Ｍｏｄｕｌａｔｉｏｎ  （Ｒｅｌｅａｓｅ８）”
【発明の概要】
【発明が解決しようとする課題】
【００１１】
ところで、上述した従来の非連続帯域送信用周波数リソース割当情報の通知方法と、ＳＲＳ送信方法とを単純に組み合わせた場合には、ＳＲＳ送信帯域とＲＢＧとの境界が一致しない場合がある。例えば、システム帯域幅が５０ＲＢの場合、図３によりＲＢＧサイズは、３ＲＢとなる一方で、ＳＲＳの送信帯域幅は、システム帯域幅によらず、４の倍数［ＲＢ］となる。このとき、一部のＲＢＧのＣＱＩ推定精度が劣化するため、周波数スケジューリングゲインが低下し、結果として、システムスループットが劣化してしまう。
【００１２】
より詳細には、広帯域のＳＲＳ送信方法が採用される場合、図４に示すように、ＳＲＳの送信帯域の端に有るＲＢＧは、ＲＢＧ内の一部の帯域でしかＳＲＳが送信されない。このため、ＲＢＧ内の平均的なＣＱＩ推定を正しく算出できず、ＣＱＩ推定精度が劣化してしまう。
【００１３】
一方、狭帯域のＳＲＳ送信方法が採用される場合、図５に示すように、ＳＲＳのＳｏｕｎｄｉｎｇ帯域（ＳＲＳが送信される帯域全体）の端に有るＲＢＧは、広帯域のＳＲＳ送信方法の場合と同様に、ＲＢＧ内の一部の帯域でしかＳＲＳが送信されない。これに加えて、狭帯域のＳＲＳの境界に位置するＲＢＧでは、複数のＳＲＳが送信されて初めて、そのＲＢＧ内の帯域すべてでＳＲＳが送信されることになる。その複数のＳＲＳの送信タイミングには時間的間隔が存在するため、時間フェージングが存在する環境等では、ＲＢＧ内の平均的なＣＱＩ推定を正しく算出できず、ＣＱＩ推定精度が劣化してしまう。
【００１４】
本発明は、かかる点に鑑みてなされたものであり、上り回線において非連続帯域送信及びＳＲＳ送信が採用される場合に、チャネル推定精度の低下を防止できる基地局装置、受信方法及び集積回路を提供することを目的とする。
【課題を解決するための手段】
【００１５】
本発明の一態様の基地局装置は、複数のリソースブロック（RB）からなるシステム帯域に含まれるSounding Reference Signal（SRS）送信帯域にマッピングされたSRSを含む信号を受信し、前記システム帯域は複数のリソースブロックグループ（RBG）に分割されており、前記SRS送信帯域はSRSを送信するための複数のRBを含み、前記複数のRBGのうちのいずれかの端の周波数位置と前記SRS送信帯域の端の周波数位置とが一致するように、前記システム帯域における前記SRS送信帯域及び前記複数のRBGの周波数位置が設定されており、前記SRS送信帯域に含まれるRBの数は一つのRBGを構成するRBの数の自然数倍である、受信手段と、前記受信した信号から、前記SRS送信帯域にマッピングされたSRSを抽出する抽出手段と、を具備する構成を採る。
【００１６】
本発明の一態様の受信方法は、複数のリソースブロック（RB）からなるシステム帯域に含まれるSounding Reference Signal（SRS）送信帯域にマッピングされたSRSを含む信号を受信し、前記システム帯域は複数のリソースブロックグループ（RBG）に分割されており、前記SRS送信帯域はSRSを送信するための複数のRBを含み、前記複数のRBGのうちのいずれかの端の周波数位置と前記SRS送信帯域の端の周波数位置とが一致するように、前記システム帯域における前記SRS送信帯域及び前記複数のRBGの周波数位置が設定されており、前記SRS送信帯域に含まれるRBの数は一つのRBGを構成するRBの数の自然数倍であり、前記受信した信号から、前記SRS送信帯域にマッピングされたSRSを抽出する。
【００１７】
本発明の一態様の集積回路は、複数のリソースブロック（RB）からなるシステム帯域に含まれるSounding Reference Signal（SRS）送信帯域にマッピングされたSRSを含む信号を受信し、前記システム帯域は複数のリソースブロックグループ（RBG）に分割されており、前記SRS送信帯域はSRSを送信するための複数のRBを含み、前記複数のRBGのうちのいずれかの端の周波数位置と前記SRS送信帯域の端の周波数位置とが一致するように、前記システム帯域における前記SRS送信帯域及び前記複数のRBGの周波数位置が設定されており、前記SRS送信帯域に含まれるRBの数は一つのRBGを構成するRBの数の自然数倍である受信処理と、前記受信した信号から、前記SRS送信帯域にマッピングされたSRSを抽出する抽出処理と、を制御する構成を採る。
【発明の効果】
【００１８】
本発明によれば、上り回線において非連続帯域送信及びＳＲＳ送信が採用される場合に、チャネル推定精度の低下を防止できる。
【図面の簡単な説明】
【００１９】
【図１】非連続帯域送信の説明に供する図
【図２】非連続帯域送信用周波数リソース割当情報の通知方法の説明に供する図
【図３】ＲＢＧサイズのシステム帯域幅に対する依存性を示す図
【図４】上り回線において非連続帯域送信及び広帯域のＳＲＳ送信が採用される場合の説明に供する図
【図５】上り回線において非連続帯域送信及び狭帯域のＳＲＳ送信が採用される場合の説明に供する図
【図６】本発明の実施の形態１に係る基地局装置の構成を示すブロック図
【図７】本発明の実施の形態１に係る端末装置の構成を示すブロック図
【図８】ＳＲＳの送信帯域幅を４ＲＢとした場合のＲＢＧの基本サイズを示す図
【図９】基地局装置の動作説明に供する図
【図１０】システム帯域におけるＳｏｕｎｄｉｎｇ帯域の位置に応じてシステム帯域内に規定されるＲＢＧ群の説明に供する図
【図１１】基地局装置の動作説明に供する図
【図１２】基地局装置の動作説明に供する図
【図１３】基地局装置の動作説明に供する図
【図１４】本発明の実施の形態２に係る基地局装置の構成を示すブロック図
【図１５】本発明の実施の形態２に係る端末装置の構成を示すブロック図
【図１６】基地局装置の動作説明に供する図
【発明を実施するための形態】
【００２０】
以下、本発明の実施の形態について図面を参照して詳細に説明する。なお、実施の形態において、同一の構成要素には同一の符号を付し、その説明は重複するので省略する。
【００２１】
（実施の形態１）
図６は、本発明の実施の形態１に係る基地局装置１００の構成を示すブロック図である。図６において、基地局装置１００は、無線受信部１０１と、復調部１０２と、ＳＲＳ抽出部１０３と、ＣＱＩ推定部１０４と、割当部１０５と、割当単位設定部１０６と、制御信号生成部１０７と、変調部１０８と、無線送信部１０９とを有する。
【００２２】
無線受信部１０１は、アンテナを介して受信した、後述する端末装置２００からの信号にダウンコンバート、Ａ／Ｄ変換等の受信処理を施し、受信処理を施した信号を復調部１０２へ出力する。
【００２３】
復調部１０２は、無線受信部１０１から受け取る受信信号を復調し、ＳＲＳ抽出部１０３へ出力する。
【００２４】
ＳＲＳ抽出部１０３は、割当単位設定部１０６から受け取るＳＲＳ情報に基づいて、端末装置２００から送信されたＳＲＳを抽出する。ＳＲＳ情報には、端末装置２００がＳＲＳを送信する、送信帯域幅、送信帯域位置、及び、周波数ホッピングパターンに関する情報が含まれる。基地局装置１００から見れば、ＳＲＳ情報には、１つのタイミングにおけるＳＲＳの受信帯域幅及び受信帯域位置、並びに、当該受信帯域位置のホッピングパターンに関する情報が含まれる。抽出されたＳＲＳは、ＣＱＩ推定部１０４へ出力される。
【００２５】
ＣＱＩ推定部１０４は、ＳＲＳ抽出部１０３にて抽出された受信ＳＲＳと、基地局装置１００と端末装置２００との間で既知のＳＲＳレプリカとの相関演算を行うことにより、端末装置２００との間のチャネル品質（ＣＱＩ）を推定する。この相関演算は、割当単位設定部１０６から受け取るＲＢＧ情報に基づいて、ＲＢＧごとに行われる。ＲＢＧ情報には、ＲＢＧの基本サイズ及び位置が含まれる。
【００２６】
チャネル品質の推定結果は、割当部１０５へ出力される。ここで、上記した従来技術と同様に、広帯域のＳＲＳ送信方法が採用される場合には、１つのタイミングにＳｏｕｎｄｉｎｇ帯域全体のチャネル品質の推定結果が得られる一方、狭帯域のＳＲＳ送信方法が採用される場合には、１つのタイミングにはＳｏｕｎｄｉｎｇ帯域の一部の送信帯域でのみＳＲＳが送信されるので、受信ＳＲＳに対して相関演算が複数回行われることにより、Ｓｏｕｎｄｉｎｇ帯域全体のチャネル品質の推定結果が得られる。
【００２７】
割当部１０５は、割当単位設定部１０６から受け取るＲＢＧ情報により定まるＲＢＧ単位で、周波数割当対象端末２００に対して周波数リソースの割り当てを行う。この周波数リソースの割り当ては、各ＲＢＧについてＣＱＩ推定部１０４で得られたチャネル推定結果に基づいて行われる。割当部１０５は、システム帯域において割り当てられたＲＢＧ及び割り当てられないＲＢＧの配列パターンに対応する周波数リソース割当ビット列を生成し、制御信号生成部１０７へ出力する。
【００２８】
割当単位設定部１０６は、端末装置２００が１つのタイミングにＳＲＳを送信する、送信帯域幅、送信帯域位置、及び、周波数ホッピングパターンに関する情報が含まれるＳＲＳ情報をＳＲＳ抽出部１０３へ出力するとともに、ＲＢＧの基本サイズ及び周波数位置が含まれるＲＢＧ情報を割当部１０５へ出力する。ここで、ＳＲＳ情報によって定まる任意のＳＲＳ送信帯域端の周波数位置は、ＲＢＧ情報によって定まるいずれかのＲＢＧの端の周波数位置と一致する。さらに、ＲＢＧ情報に含まれるＲＢＧの基本サイズ（つまり、ＲＢＧの基本帯域幅）は、ＳＲＳ情報に含まれる送信帯域幅の約数となっている。すなわち、ＳＲＳ情報に含まれる送信帯域幅は、ＲＢＧ情報に含まれるＲＢＧの基本サイズの自然数倍となっている。
【００２９】
具体的には、割当単位設定部１０６は、ＳＲＳ情報設定部１１１と、ＲＢＧ情報設定部１１２とを有する。
【００３０】
ＳＲＳ情報設定部１１１は、ＳＲＳ情報をＳＲＳ抽出部１０３へ出力する。また、ＳＲＳ情報設定部１１１は、ＳＲＳの最小帯域幅（ＲＢの個数で表される）、及び、ＳＲＳの送信帯域境界情報をＲＢＧ情報設定部１１２へ出力する。ＳＲＳの送信帯域境界情報とは、例えば、Ｓｏｕｎｄｉｎｇ帯域の開始位置を指す。
【００３１】
ＲＢＧ情報設定部１１２は、システム帯域幅に応じて、ＲＢＧの基本サイズを決定する。このＲＢＧの基本サイズは、端末装置２００が１つのタイミングにＳＲＳを送信する送信帯域幅の約数である。また、ＲＢＧ情報設定部１１２は、ＳＲＳ情報設定部１１１から受け取るＳＲＳの送信帯域境界情報の示す送信帯域端の周波数位置とＲＢＧの端の周波数位置とが一致するように、ＲＢＧの周波数位置を決定する。
【００３２】
こうして決定されたＲＢＧの基本サイズ及びＲＢＧの周波数位置に関する情報は、ＲＢＧ情報として、ＣＱＩ推定部１０４及び割当部１０５へ出力される。
【００３３】
制御信号生成部１０７は、割当部１０５からの周波数リソース割当ビット列を含む制御信号を生成し、変調部１０８へ出力する。
【００３４】
変調部１０８は、制御信号を変調し、無線送信部１０９へ出力する。
【００３５】
無線送信部１０９は、変調信号に対し、Ｄ／Ａ変換、アップコンバート、増幅等の送信処理を施し、アンテナを介して無線送信する。
【００３６】
図７は、本発明の実施の形態１に係る端末装置２００の構成を示すブロック図である。図７において、端末装置２００は、無線受信部２０１と、復調部２０２と、復号部２０３と、帯域情報設定部２０４と、送信帯域設定部２０５と、符号化部２０６と、変調部２０７と、ＤＦＴ部２０８と、ＳＲＳ生成部２０９と、マッピング部２１０，２１１と、ＩＤＦＴ部２１２，２１３と、多重部２１４と、無線送信部２１５とを有する。
【００３７】
無線受信部２０１は、アンテナを介して受信した受信信号に対し、ダウンコンバート、Ａ／Ｄ変換等の受信処理を施し、復調部２０２へ出力する。
【００３８】
復調部２０２は、受信信号を復調し、復号部２０３へ出力する。
【００３９】
復号部２０３は、復調部２０２から受け取る信号に復号処理を施し、復号結果から基地局装置１００によって送信された周波数リソース割当ビット列を含む制御信号を抽出する。
【００４０】
帯域情報設定部２０４は、端末装置２００が１つのタイミングにＳＲＳを送信する、送信帯域幅、送信帯域位置、及び、周波数ホッピングパターンに関する情報が含まれるＳＲＳ情報をマッピング部２１１へ出力するとともに、ＲＢＧの基本サイズ及び周波数位置が含まれるＲＢＧ情報を送信帯域設定部２０５へ出力する。ここで、ＳＲＳ情報によって定まる任意のＳＲＳ送信帯域端の周波数位置は、ＲＢＧ情報によって定まるいずれかのＲＢＧの端の周波数位置と一致する。さらに、ＲＢＧ情報に含まれるＲＢＧの基本サイズ（つまり、ＲＢＧの基本帯域幅）は、ＳＲＳ情報に含まれる送信帯域幅の約数となっている。すなわち、ＳＲＳ情報に含まれる送信帯域幅は、ＲＢＧ情報に含まれるＲＢＧの基本サイズの自然数倍となっている。
【００４１】
具体的には、帯域情報設定部２０４は、ＳＲＳ情報設定部２２１と、ＲＢＧ情報設定部２２２とを有する。
【００４２】
ＳＲＳ情報設定部２２１は、ＳＲＳ情報をマッピング部２１１へ出力する。また、ＳＲＳ情報設定部２２１は、ＳＲＳの最小帯域幅（ＲＢの個数で表される）、及び、ＳＲＳの送信帯域境界情報をＲＢＧ情報設定部２２２へ出力する。ＳＲＳの送信帯域境界情報とは、例えば、Ｓｏｕｎｄｉｎｇ帯域の開始位置を指す。
【００４３】
ＲＢＧ情報設定部２２２は、システム帯域幅に応じて、ＲＢＧの基本サイズを決定する。このＲＢＧの基本サイズは、端末装置２００が１つのタイミングにＳＲＳを送信する送信帯域幅の約数である。また、ＲＢＧ情報設定部２２２は、ＳＲＳ情報設定部２２１から受け取るＳＲＳの送信帯域境界情報の示す送信帯域端の周波数位置とＲＢＧの端の周波数位置と一致するように、ＲＢＧの周波数位置を決定する。こうして決定されたＲＢＧの基本サイズ及びＲＢＧの周波数位置に関する情報は、ＲＢＧ情報として、送信帯域設定部２０５へ出力される。
【００４４】
送信帯域設定部２０５は、帯域情報設定部２０４から受け取るＲＢＧ情報に基づいて基本サイズ及び周波数位置が特定されるＲＢＧ群のうち、復号部２０３から受け取る制御情報に含まれる周波数リソース割当ビット列の構成ビットのビット値に基づいて割当ＲＢＧを特定し、特定した割当ＲＢＧの基本サイズ及び周波数位置を送信帯域情報としてマッピング部２１０へ出力する。すなわち、割当ＲＢＧの基本サイズ及び周波数位置から特定される帯域が送信帯域である。
【００４５】
符号化部２０６は、送信データを符号化し、得られた符号化データを変調部２０７へ出力する。
【００４６】
変調部２０７は、符号化部２０６から受け取る符号化データを変調し、データ変調信号をＤＦＴ部２０８へ出力する。
【００４７】
ＤＦＴ部２０８は、変調部２０７から受け取るデータ変調信号にＤＦＴ処理を施し、得られた周波数領域のデータ信号をマッピング部２１０へ出力する。
【００４８】
マッピング部２１０は、送信帯域設定部２０５から受け取る送信帯域情報の示す周波数リソースにＤＦＴ部２０８から受け取るデータ信号をマッピングし、得られた信号をＩＤＦＴ部２１２へ出力する。
【００４９】
ＩＤＦＴ部２１２は、マッピング部２１０から受け取る信号にＩＤＦＴ処理を施し、得られた信号を多重部２１４へ出力する。
【００５０】
ＳＲＳ生成部２０９は、上り回線データチャネルの品質を測定するためのＳＲＳを生成し、マッピング部２１１へ出力する。
【００５１】
マッピング部２１１は、帯域情報設定部２０４から受け取るＳＲＳ情報によって特定される周波数／時間リソースに配置し、得られた信号をＩＤＦＴ部２１３へ出力する。
【００５２】
ＩＤＦＴ部２１３は、マッピング部２１１から受け取る信号にＩＤＦＴ処理を施し、得られた信号を多重部２１４へ出力する。
【００５３】
多重部２１４は、ＩＤＦＴ部２１３から受け取るデータ信号とＳＲＳとを多重し、得られた多重信号を無線送信部２１５へ出力する。
【００５４】
無線送信部２１５は、多重部２１４から受け取る多重信号にＤ／Ａ変換、アップコンバート、増幅等の送信処理を施し、得られた無線信号をアンテナから基地局装置１００へ送信する。
【００５５】
次に、以上の構成を有する基地局装置１００及び端末装置２００の動作について説明する。
【００５６】
基地局装置１００は、各ＲＢＧについて得られたチャネル推定結果に基づいて、周波数割当対象端末２００に対してＲＢＧ単位で周波数リソースの割り当てを行い、システム帯域において割り当てられたＲＢＧ及び割り当てられないＲＢＧの配列パターンに対応する周波数リソース割当ビット列を生成する。そして、基地局装置１００は、周波数リソース割当ビット列を端末装置２００へ送信する。端末装置２００は、受信した周波数リソース割当ビット列に基づいて特定される周波数リソースを用いてデータ送信する。
【００５７】
具体的には、基地局装置１００において、ＳＲＳ抽出部１０３は、無線受信部１０１及び復調部１０２を介して受け取る受信信号から、割当単位設定部１０６から受け取るＳＲＳ情報に基づいて特定されるＳＲＳ受信帯域にてＳＲＳを抽出する。ＳＲＳ情報には、１つのタイミングにおけるＳＲＳの受信帯域幅及び受信帯域位置、並びに、当該受信帯域位置のホッピングパターンに関する情報が含まれる。上記したようにＳＲＳの送信方法には、広帯域のＳＲＳ送信方法及び狭帯域のＳＲＳ送信方法がある。広帯域のＳＲＳ送信方法では、すべてのＳＲＳ送信タイミングで同じ送信帯域（つまり、Ｓｏｕｎｄｉｎｇ帯域）でＳＲＳが送信される。従って、広帯域のＳＲＳ送信方法が採用される場合、ＳＲＳ情報には、受信帯域位置がホッピングしないことを示す情報が含まれる。
【００５８】
ＣＱＩ推定部１０４は、ＳＲＳ抽出部１０３にて抽出された受信ＳＲＳとＳＲＳレプリカとの相関演算を、割当単位設定部１０６から受け取るＲＢＧ情報に基づいて特定されるＲＧＢごとに行うことにより、ＲＧＢごとのチャネル推定結果を得る。ＲＢＧ情報には、ＲＢＧの基本サイズ及び位置が含まれる。
【００５９】
割当部１０５は、ＣＱＩ推定部１０４で得られたチャネル推定結果に基づいて、割当単位設定部１０６から受け取るＲＢＧ情報により定まるＲＢＧ単位で、周波数割当対象端末２００に対して周波数リソースの割り当てを行い、システム帯域において割り当てられたＲＢＧ及び割り当てられないＲＢＧの配列パターンに対応する周波数リソース割当ビット列を生成する。
【００６０】
ここで、ＳＲＳ情報によって定まる任意のＳＲＳ送信帯域端の周波数位置は、ＲＢＧ情報によって定まるいずれかのＲＢＧの端の周波数位置と一致する。さらに、ＲＢＧ情報に含まれるＲＢＧの基本サイズ（つまり、ＲＢＧの基本帯域幅）は、ＳＲＳ情報に含まれる送信帯域幅の約数となっている。すなわち、ＳＲＳ情報に含まれる送信帯域幅は、ＲＢＧ情報に含まれるＲＢＧの基本サイズの自然数倍となっている。例えば、ＬＴＥのＳＲＳの最小帯域幅が４ＲＢであるので、割当単位設定部１０６で決定するＲＢＧの基本サイズは、図８に示すように、４ＲＢの約数である１、２、４ＲＢに制限される。
【００６１】
こうすることで、図９に示すように、Ｓｏｕｎｄｉｎｇ帯域内にある各ＲＢＧでは１つのＳＲＳが隙間なく送信される。従って、各ＲＧＢでは同一タイミングに送信されたＳＲＳを用いたチャネル推定結果が得られるので、ＣＱＩ推定精度の劣化を防止できる。この結果、基地局装置１００が精度劣化の無いＣＱＩを用いて端末装置２００を周波数リソース割当できるので、システスループット性能の劣化を防止できる。また、ＳＲＳ送信方法はＬＴＥの方法と同じなので、ＬＴＥシステム専用の端末とＬＴＥ−Ａシステムにも適用可能な端末とを区別することなく、同一セル内で複数端末のＳＲＳを多重することができる。
【００６２】
またここで、本実施の形態のように、Ｓｏｕｎｄｉｎｇ帯域を基準に、ＲＢＧの端をＳｏｕｎｄｉｎｇ帯域の端に一致させる場合には、システム帯域におけるＳｏｕｎｄｉｎｇ帯域の位置によって、システム帯域の両端部に、大きさが基本サイズに満たないＲＢＧが生じる場合がある。
【００６３】
図１０は、システム帯域におけるＳｏｕｎｄｉｎｇ帯域の位置に応じてシステム帯域内に規定されるＲＢＧ群の説明に供する図である。図１０Ａでは、システム帯域の端からＲＢＧを順次敷き詰めた状態でＳｏｕｎｄｉｎｇ帯域の端の周波数位置がＲＧＢの端の周波数位置と一致している。一方、図１０Ｂでは、システム帯域の端からＲＢＧを順次敷き詰めた状態でＳｏｕｎｄｉｎｇ帯域の端の周波数位置がＲＧＢの端の周波数位置と一致しないので、一致するようにＲＢＧの周波数位置がずらされている。
【００６４】
図１０Ａと図１０Ｂとでは、システム帯域幅及びＳｏｕｎｄｉｎｇ帯域幅が一致する一方で、Ｓｏｕｎｄｉｎｇ帯域の位置が異なっている。この違いによって、図１０Ａでは、周波数リソース割当ビット列の構成ビットの数が８ビットである一方で、図１０Ｂでは、９ビットとなる。これは、図１０Ｂでは、システム帯域両端部の基本サイズに満たないＲＢＧが、それぞれ１つのＲＢＧとしてカウントされるからである。
【００６５】
このように基地局装置１００から端末装置２００へ送信される周波数リソース割当ビット列の構成ビットの数が変わると、制御信号の送信フォーマットが変わることになり、端末装置２００において送信フォーマット検出のための復号処理が増加してしまう。
【００６６】
このような不都合を解消するためには、以下に示す３つの方法がある。
【００６７】
第１の方法は、割当部１０５が、システム帯域の両端にある、大きさが基本サイズに満たない２つのＲＢＧを１つの纏まりとして、周波数割当対象端末へ割り当てる（図１１参照）。これにより、システム帯域の両端にある２つのＲＢＧが割り当てられているか否かを１ビットで周波数割当対象端末へ通知することが可能となる。この結果、割当部１０５は、図１０Ｂのような状況でも、図１０Ａのような状況での構成ビット数と同じビット数で、周波数リソース割当ビット列を生成することができる。
【００６８】
第２の方法は、割当部１０５が、システム帯域の両端にある、大きさが基本サイズに満たない２つのＲＢＧのうち一方のみを割当対象とし、他方を非割当対象とする（図１２参照）。ただし、ここでの「非割当対象」とは、周波数リソース割当ビット列で割り当てられているか否かを通知する対象ではないことを意味する。従って、この非割当対象のＲＢＧを、別のシグナリング方法（例えば、連続帯域送信用の周波数リソース割当ビット列）によって周波数割当対象端末に対して割り当てることは可能である。これにより、図１０Ａ及びＢのいずれの状況でも、１つのシグナリングフォーマットを使うことができる。この結果、端末装置２００においてシグナリングフォーマットの検出のための復号処理を省略できるので、端末装置２００の処理量増加を防止することができる。
【００６９】
第３の方法は、割当部１０５が、システム帯域の両端にある、大きさが基本サイズに満たない２つのＲＢＧのいずれも非割当対象とする。すなわち、割当部１０５が割当可能な帯域とＳｏｕｎｄｉｎｇ帯域と一致させる（図１３参照）。こうして、システム帯域の両端にある、大きさが基本サイズに満たない２つのＲＢＧのいずれも非割当対象とするので、シグナリングビット数を低減できる。ただし、ここでも、非割当対象のＲＢＧを、別のシグナリング方法（例えば、連続帯域送信用の周波数リソース割当ビット列）によって周波数割当対象端末に対して割り当てることは可能である。また、Ｓｏｕｎｄｉｎｇ帯域幅をセル内で設定可能な最大値とすれば、シグナリングビット数がセル内で共通化されるので、セル内でシグナリングフォーマットも共通化できる。
【００７０】
以上のように本実施の形態によれば、基地局装置１００において、ＳＲＳ抽出部１０３にＳＲＳの受信帯域を設定し、ＣＱＩ推定部１０４及び割当部１０５に周波数割当単位（ＲＢＧ）を設定する割当単位設定部１０６が、ＳＲＳ受信帯域の端の周波数位置をいずれかの周波数割当単位の端の周波数位置と一致させ、リファレンス信号の受信帯域幅を周波数割当単位の帯域幅の自然数倍とする。
【００７１】
また、端末装置２００において、送信帯域及び周波数割当単位（ＲＢＧ）を設定する帯域情報設定部２０４が、送信帯域の端の周波数位置をいずれかの周波数割当単位の端の周波数位置と一致させ、ＳＲＳの送信帯域幅を周波数割当単位の帯域幅の自然数倍とする。
【００７２】
こうすることで、各ＲＢＧでは１つのＳＲＳが隙間なく送信される。従って、各ＲＧＢでは同一タイミングに送信されたＳＲＳを用いたチャネル推定結果が得られるので、ＣＱＩ推定精度の劣化を防止できる。この結果、基地局装置１００が精度劣化の無いＣＱＩを用いて端末装置２００を周波数リソース割当できるので、システスループット性能の劣化を防止できる。
【００７３】
（実施の形態２）
実施の形態１では、Ｓｏｕｎｄｉｎｇ帯域を基準に、ＲＧＢの基本サイズが決定されるとともに、ＲＢＧの端がＳｏｕｎｄｉｎｇ帯域の端に一致させられる。実施の形態２では、ＲＧＢの基本サイズ及び位置を基準に、端末装置２００が１つのタイミングにＳＲＳを送信する送信帯域幅が決定されるとともに、そのＳＲＳの送信帯域の端がＲＧＢの端に一致させられる。
【００７４】
図１４は、本発明の実施の形態２に係る基地局装置３００の構成を示すブロック図である。基地局装置３００は、割当単位設定部３０１を有する。
【００７５】
割当単位設定部３０１は、後述する端末装置４００が１つのタイミングにＳＲＳを送信する、送信帯域幅、送信帯域位置、及び、周波数ホッピングパターンに関する情報が含まれるＳＲＳ情報をＳＲＳ抽出部１０３へ出力するとともに、ＲＢＧの基本サイズ及び周波数位置が含まれるＲＢＧ情報を割当部１０５へ出力する。ここで、ＳＲＳ情報によって定まる任意のＳＲＳ送信帯域端の周波数位置は、ＲＢＧ情報によって定まるいずれかのＲＢＧの端の周波数位置と一致する。さらに、ＳＲＳ情報に含まれる送信帯域幅は、ＲＢＧ情報に含まれるＲＢＧの基本サイズの自然数倍となっている。
【００７６】
具体的には、割当単位設定部３０１は、ＲＢＧ情報設定部３１１と、ＳＲＳ情報設定部３１２とを有する。
【００７７】
ＲＢＧ情報設定部３１１は、システム帯域幅に応じてＲＢＧの基本サイズを決定するとともに、ＲＢＧの周波数位置を決定する。決定されたＲＢＧの基本サイズ及び周波数位置に関する情報は、ＲＢＧ情報として割当部１０５、ＣＱＩ推定部１０４及びＳＲＳ情報設定部３１２へ出力される。このＲＢＧ情報に従えば、ＲＢＧは、システム帯域の端からシステム帯域全体に隈無く敷き詰められる。
【００７８】
ＳＲＳ情報設定部３１２は、ＲＢＧ情報設定部３１１から受け取るＲＢＧ情報に含まれる基本サイズに応じて、端末装置４００が１つのタイミングにＳＲＳを送信する送信帯域幅を決定する。また、ＳＲＳ情報設定部３１２は、ＲＢＧ情報設定部３１１から受け取るＲＢＧ情報に含まれる基本サイズ及び周波数位置によって特定されるＲＢＧの端の周波数位置とＳＲＳ送信帯域端の周波数位置とが一致するように、ＳＲＳの周波数位置を決定する。
【００７９】
こうして決定されたＳＲＳ送信帯域幅、各ＳＲＳ送信帯域の周波数位置、及び、当該周波数位置のホッピングパターンに関する情報は、ＳＲＳ情報としてＳＲＳ抽出部１０３へ出力される。
【００８０】
図１５は、本発明の実施の形態２に係る端末装置４００の構成を示すブロック図である。図１５において、端末装置４００は、帯域情報設定部４０１を有する。
【００８１】
帯域情報設定部４０１は、端末装置４００が１つのタイミングにＳＲＳを送信する、送信帯域幅、送信帯域位置、及び、周波数ホッピングパターンに関する情報が含まれるＳＲＳ情報をマッピング部２１１へ出力するとともに、ＲＢＧの基本サイズ及び周波数位置が含まれるＲＢＧ情報を送信帯域設定部２０５へ出力する。ここで、ＳＲＳ情報によって定まる任意のＳＲＳ送信帯域端の周波数位置は、ＲＢＧ情報によって定まるいずれかのＲＢＧの端の周波数位置と一致する。さらに、ＳＲＳ情報に含まれる送信帯域幅は、ＲＢＧ情報に含まれるＲＢＧの基本サイズの自然数倍となっている。
【００８２】
具体的には、帯域情報設定部４０１は、ＲＢＧ情報設定部４１１と、ＳＲＳ情報設定部４１２とを有する。
【００８３】
ＲＢＧ情報設定部４１１は、システム帯域幅に応じてＲＢＧの基本サイズを決定するとともに、ＲＢＧの周波数位置を決定する。決定されたＲＢＧの基本サイズ及び周波数位置に関する情報は、ＲＢＧ情報として送信帯域設定部２０５及びＳＲＳ情報設定部４１２へ出力される。このＲＢＧ情報に従えば、ＲＢＧは、システム帯域の端からシステム帯域全体に隈無く敷き詰められる。
【００８４】
ＳＲＳ情報設定部４１２は、ＲＢＧ情報設定部４１１から受け取るＲＢＧ情報に含まれる基本サイズに応じて、端末装置４００が１つのタイミングにＳＲＳを送信する送信帯域幅を決定する。また、ＳＲＳ情報設定部４１２は、ＲＢＧ情報設定部４１１から受け取るＲＢＧ情報に含まれる基本サイズ及び周波数位置によって特定されるＲＢＧの端の周波数位置とＳＲＳ送信帯域端の周波数位置とが一致するように、ＳＲＳの周波数位置を決定する。
【００８５】
こうして決定されたＳＲＳ送信帯域幅、各ＳＲＳ送信帯域の周波数位置、及び、当該周波数位置のホッピングパターンに関する情報は、ＳＲＳ情報としてマッピング部２１１へ出力される。
【００８６】
以上の構成を有する基地局装置３００及び端末装置４００の動作について説明する。
【００８７】
基地局装置３００は、各ＲＢＧについて得られたチャネル推定結果に基づいて、周波数割当対象端末４００に対してＲＢＧ単位で周波数リソースの割り当てを行い、システム帯域において割り当てられたＲＢＧ及び割り当てられないＲＢＧの配列パターンに対応する周波数リソース割当ビット列を生成する。そして、基地局装置３００は、周波数リソース割当ビット列を端末装置４００へ送信する。端末装置４００は、受信した周波数リソース割当ビット列に基づいて特定される周波数リソースを用いてデータ送信する。
【００８８】
具体的には、基地局装置３００において、割当部１０５は、ＣＱＩ推定部１０４で得られたチャネル推定結果に基づいて、割当単位設定部３０１から受け取るＲＢＧ情報により定まるＲＢＧ単位で、周波数割当対象端末４００に対して周波数リソースの割り当てを行い、システム帯域において割り当てられたＲＢＧ及び割り当てられないＲＢＧの配列パターンに対応する周波数リソース割当ビット列を生成する。
【００８９】
ここで、ＳＲＳ情報によって定まる任意のＳＲＳ送信帯域端の周波数位置は、ＲＢＧ情報によって定まるいずれかのＲＢＧの端の周波数位置と一致する。さらに、ＳＲＳ情報に含まれる送信帯域幅は、ＲＢＧ情報に含まれるＲＢＧの基本サイズの自然数倍となっている。
【００９０】
こうすることで、図１６に示すように、Ｓｏｕｎｄｉｎｇ帯域内にある各ＲＢＧでは１つのＳＲＳが隙間なく送信される。従って、各ＲＧＢでは同一タイミングに送信されたＳＲＳを用いたチャネル推定結果が得られるので、ＣＱＩ推定精度の劣化を防止できる。この結果、基地局装置３００が精度劣化の無いＣＱＩを用いて端末装置４００を周波数リソース割当できるので、システスループット性能の劣化を防止できる。
【００９１】
なお、ＳＲＳの送信帯域幅は、システムで取り得る全てのＲＢＧサイズの最小公倍数の倍数としても良い。これにより、上述した効果に加え、ＲＢＧサイズの変更に依存しないＳＲＳの送信帯域幅が設定されるので、端末装置４００における処理が容易になる。例えば、システムで用いるＲＢＧサイズが１、２、３、４ＲＢの範囲で変わる場合は、ＳＲＳの送信帯域幅は、それらの最小公倍数である１２ＲＢの整数倍（１２、２４、３６ＲＢなど）に設定する。これにより、ＲＢＧサイズの変更に依存したＳＲＳの送信帯域幅の変更が必要なくなる。
【００９２】
以上のように本実施の形態によれば、基地局装置３００において、ＳＲＳ抽出部１０３にＳＲＳの受信帯域を設定し、ＣＱＩ推定部１０４及び割当部１０５に周波数割当単位（ＲＢＧ）を設定する割当単位設定部３０１が、ＳＲＳ受信帯域の端の周波数位置をいずれかの周波数割当単位の端の周波数位置と一致させ、リファレンス信号の受信帯域幅を周波数割当単位の帯域幅の自然数倍とする。
【００９３】
また、端末装置４００において、送信帯域及び周波数割当単位（ＲＢＧ）を設定する帯域情報設定部４０１が、送信帯域の端の周波数位置をいずれかの周波数割当単位の端の周波数位置と一致させ、ＳＲＳの送信帯域幅を周波数割当単位の帯域幅の自然数倍とする。
【００９４】
こうすることで、各ＲＢＧでは１つのＳＲＳが隙間なく送信される。従って、各ＲＧＢでは同一タイミングに送信されたＳＲＳを用いたチャネル推定結果が得られるので、ＣＱＩ推定精度の劣化を防止できる。この結果、基地局装置３００が精度劣化の無いＣＱＩを用いて端末装置４００を周波数リソース割当できるので、システスループット性能の劣化を防止できる。
【００９５】
なお、上記各実施の形態では、本発明をハードウェアで構成する場合を例にとって説明したが、本発明はソフトウェアで実現することも可能である。
【００９６】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００９７】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【００９８】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【００９９】
２００９年４月１０日出願の特願２００９−０９６２２１の日本出願に含まれる明細書、図面および要約書の開示内容は、すべて本願に援用される。
【産業上の利用可能性】
【０１００】
本発明の基地局装置、受信方法及び集積回路は、上り回線において非連続帯域送信及びＳＲＳ送信が採用される場合に、チャネル推定精度の低下を防止できるものとして有用である。
【符号の説明】
【０１０１】
１００，３００  基地局装置
１０１，２０１  無線受信部
１０２，２０２  復調部
１０３  ＳＲＳ抽出部
１０４  ＣＱＩ推定部
１０５  割当部
１０６，３０１  割当単位設定部
１０７  制御信号生成部
１０８，２０７  変調部
１０９，２１５  無線送信部
１１１，２２１，３１２，４１２  ＳＲＳ情報設定部
１１２，２２２，３１１，４１１  ＲＢＧ情報設定部
２００，４００  端末装置
２０３  復号部
２０４，４０１  帯域情報設定部
２０５  送信帯域設定部
２０６  符号化部
２０８  ＤＦＴ部
２０９  ＳＲＳ生成部
２１０，２１１  マッピング部
２１２，２１３  ＩＤＦＴ部
２１４  多重部
【図１】
2014068410.tif 000003
【図２】
2014068410.tif 000004
【図３】
2014068410.tif 000005
【図４】
2014068410.tif 000006
【図５】
2014068410.tif 000007
【図６】
2014068410.tif 000008
【図７】
2014068410.tif 000009
【図８】
2014068410.tif 000010
【図９】
2014068410.tif 000011
【図１０】
2014068410.tif 000012
【図１１】
2014068410.tif 000013
【図１２】
2014068410.tif 000014
【図１３】
2014068410.tif 000015
【図１４】
2014068410.tif 000016
【図１５】
2014068410.tif 000017
【図１６】
2014068410.tif 000018